【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
加入者ステーションのリストからセクタを除去するリクエストを受取り、
加入者ステーションからの逆方向リンク品質計量をそのセクタで決定し、
前記決定された逆方向リンク品質計量が十分である場合、加入者ステーションのリスト内にセクタを保持するステップを含んでいる通信システムにおける加入者ステーションと通信することのできるセクタのリストを管理する方法。
【請求項２】
前記決定された逆方向リンク品質計量が十分である場合に加入者ステーションのリスト内にセクタを保持する前記ステップは、
加入者ステーションのリストからセクタを除去する前記受取られたリクエストを拒否するステップを含んでいる請求項１記載の方法。
【請求項３】
前記決定された逆方向リンク品質計量が十分である場合に加入者ステーションのリスト内にセクタを保持する前記ステップは、
データのレートが復号されることのできる順方向リンク品質計量を決定し、
そのセクタに対する順方向リンク品質計量しきい値を前記決定された順方向品質計量にしたがって設定するステップを含んでいる請求項１記載の方法。
【請求項４】
データのレートが復号されることのできる順方向リンク品質計量を決定する前記ステップは、
最小のデータレートが復号されることのできる順方向リンク品質計量を決定するステップを含んでいる請求項３記載の方法。
【請求項５】
さらに、前記決定された逆方向リンク品質計量が不十分である場合に、加入者ステーションリストからセクタを除去するステップを含んでいる請求項１記載の方法。
【請求項６】
さらに、セクタが加入者ステーションのリスト内に保持されているときに不均衡が存在しているか否かを決定し、
不均衡が存在する場合、最高の逆方向リンク品質計量にしたがって決定されたパワー制御コマンドを最高の順方向リンク品質計量を有するセクタから送信するステップを含んでいる請求項１記載の方法。
【請求項７】
不均衡が存在するか否かを決定する前記ステップは、
加入者ステーションの逆方向リンク品質計量をそのリストに属する各セクタで測定し、
リストに属している各セクタにおいてそのセクタによって加入者ステーションに送信された順方向リンクの品質計量を決定し、
複数のセクタの１つの順方向リンク品質計量がその複数のセクタの残りのものの順方向リンク品質計量より第１のしきい値だけ大きい場合、および
複数のセクタのその１つにおける前記測定された逆方向リンク品質計量がその複数のセクタの残りのものにおける前記測定された逆方向リンク品質計量より第２のしきい値だけ小さい場合に不均衡であることを宣言するステップを含んでいる請求項６記載の方法。
【請求項８】
加入者ステーションのリストからセクタを除去するリクエストを受取るように構成された受信機と、
前記受信機と通信するように接続されたプロセッサと、
前記プロセッサと通信するように接続され、プロセッサにより実行可能な命令セットを含んでいる記憶媒体とを備えており、
前記命令セットは、
逆方向リンク品質計量をそのセクタにおける加入者ステーションから決定し、
前記決定された逆方向リンク品質計量が十分である場合に加入者ステーションリスト内にセクタを保持する命令を含んでいる通信システム中で加入者ステーションと通信することのできるセクタのリストを管理する装置。
【請求項９】
前記決定された逆方向リンク品質計量が十分である場合に加入者ステーションリスト内にセクタを保持するための、プロセッサにより実行可能な前記命令セットは、
加入者ステーションのリストからそのセクタを除去する前記受取られたリクエストを拒否する命令のセットを含んでいる請求項８記載の装置。
【請求項１０】
前記決定された逆方向リンク品質計量が十分である場合に加入者ステーションリスト内にセクタを保持するための、プロセッサにより実行可能な前記命令セットは、
データのレートが復号されることのできるセクタに対する順方向リンク品質計量を決定し、
前記決定された順方向リンク品質計量にしたがって順方向リンク品質計量しきい値を設定する命令を含んでいる請求項８記載の装置。
【請求項１１】
さらに、前記決定された逆方向リンク品質計量が不十分である場合に加入者ステーションのリストからそのセクタを除去することを含む請求項８記載の装置。
【請求項１２】
プロセッサによって実行可能な前記命令のセットは、
セクタが加入者ステーションのリスト内に保持されているときに不均衡が存在しているか否かを決定し、不均衡が存在する場合には、
最高の逆方向リンク品質計量にしたがって決定されたパワー制御コマンドを最高の順方向リンク品質計量を有するそのセクタに提供する命令を含んでいる請求項８記載の装置。
【請求項１３】
不均衡が存在しているか否かを決定するプロセッサにより実行可能な前記命令のセットは、
加入者ステーションの逆方向リンク品質計量をリストに属している各セクタで決定し、
リストに属している各セクタにおいてそのセクタによって加入者ステーションに送信された順方向リンクの品質計量を決定し、
複数のセクタの１つの順方向リンク品質計量がその複数のセクタの残りのものの順方向リンク品質計量より第１のしきい値だけ大きい場合、および
複数のセクタのその１つにおける前記測定された逆方向リンク品質計量がその複数のセクタの残りのものにおける前記測定された逆方向リンク品質計量より第２のしきい値だけ小さい場合に不均衡を宣言する命令を含んでいる請求項１２記載の装置。
【請求項１４】
加入者ステーションのリストに属している複数のセクタにおいてその加入者ステーションの逆方向リンク品質計量を測定し、
各セクタにおいてそのセクタによって加入者ステーションに送信された順方向リンクの品質計量を決定し、
前記測定された逆方向リンク品質計量および前記決定された順方向リンクの品質計量にしたがって不均衡を決定し、
不均衡が存在している場合に高い逆方向リンク品質計量にしたがって決定されたパワー制御コマンドを高い順方向リンク品質計量を有するセクタから送信するステップを含んでいる加入者ステーションのパワー制御方法。
【請求項１５】
前記測定された逆方向リンク品質計量および前記決定された順方向リンクの品質計量にしたがって不均衡を決定する前記ステップは、
複数のセクタの１つの順方向リンク品質計量がその複数のセクタの残りのものの順方向リンク品質計量より第１のしきい値だけ大きい場合、および
複数のセクタのその１つにおける前記測定された逆方向リンク品質計量がその複数のセクタの残りのものにおける前記測定された逆方向リンク品質計量より第２のしきい値だけ小さい場合に不均衡を宣言するステップを含んでいる請求項１４記載の方法。
【請求項１６】
不均衡が存在する場合に最高の逆方向リンク品質計量にしたがって決定されたパワー制御コマンドを最高の順方向リンク品質計量を有するセクタから送信するステップは、
不均衡が予め定められた時間中に存在する場合に最高の逆方向リンク品質計量にしたがって決定されたパワー制御コマンドを最高の順方向リンク品質計量を有するセクタから送信するステップを含んでいる請求項１４記載の方法。
【請求項１７】
加入者ステーションのリストに属している複数のセクタにおいてその加入者ステーションの逆方向リンク品質計量を測定する前記ステップは、
その加入者ステーションのリストに属する２つのセクタにおいてその加入者ステーションの逆方向リンク品質計量を測定するステップを含んでいる請求項１４記載の方法。
【請求項１８】
受信機と通信するように接続されたプロセッサと、
前記プロセッサと通信するように接続され、プロセッサにより実行可能な命令セットを含んでいる記憶媒体とを備えており、
前記命令セットは、
リストに属している各セクタにおいて加入者ステーションの逆方向リンク品質計量を決定し、
リストに属している各セクタにおいてそのセクタによって加入者ステーションに送信された順方向リンクの品質計量を決定し、
前記測定された逆方向リンク品質計量および前記決定された順方向リンクの品質計量にしたがって不均衡を決定し、
最高の逆方向リンク品質計量にしたがって決定されたパワー制御コマンドを少なくとも最高の順方向リンク品質計量を有するセクタに提供する、加入者ステーションをパワー制御する装置。
【請求項１９】
前記測定された逆方向リンク品質計量および前記決定された順方向リンクの品質計量にしたがって不均衡を決定するための、プロセッサにより実行可能な前記命令セットは、
複数のセクタの１つの順方向リンク品質計量がその複数のセクタの残りのものの順方向リンク品質計量より第１のしきい値だけ大きい場合、および
複数のセクタのその１つにおける前記測定された逆方向リンク品質計量がその複数のセクタの残りのものにおける前記測定された逆方向リンク品質計量より第２のしきい値だけ小さい場合に不均衡を宣言する命令を含んでいる請求項１８記載の装置。
【請求項２０】
最高の逆方向リンク品質計量にしたがって決定されたパワー制御コマンドを最高の順方向リンク品質計量を有するセクタに提供するための、プロセッサにより実行可能な前記命令セットは、
不均衡が予め定められた時間中に存在する場合に最高の逆方向リンク品質計量にしたがって決定されたパワー制御コマンドを最高の順方向リンク品質計量を有するセクタに提供する命令を含んでいる請求項１８記載の装置。
【請求項２１】
前記リストは２つのセクタを含んでいる請求項１８記載の装置。
【請求項２２】
加入者ステーションのリストからセクタを除去するリクエストを受取る手段と、
加入者ステーションからの逆方向リンク品質計量をそのセクタで決定する手段と、
前記決定された逆方向リンク品質計量が十分である場合、加入者ステーションのリスト内にセクタを保持する手段とを備えている、通信システムにおける加入者ステーションと通信することのできるセクタのリストを管理するように構成された装置。
【請求項２３】
加入者ステーションのリストに属している複数のセクタにおいてその加入者ステーションの逆方向リンク品質計量を測定する手段と、
各セクタにおいてそのセクタによって加入者ステーションに送信された順方向リンクの品質計量を決定する手段と、
前記測定された逆方向リンク品質計量および前記決定された順方向リンクの品質計量にしたがって不均衡を決定する手段と、
不均衡が存在している場合に高い逆方向リンク品質計量にしたがって決定されたパワー制御コマンドを高い順方向リンク品質計量を有するセクタから送信する手段とを備えている加入者ステーションをパワー制御するように構成された装置。
【手続補正２】
【補正対象書類名】明細書
【補正対象項目名】００４５
【補正方法】変更
【補正の内容】
【００４５】
第１の（開）パワー制御ループは、逆方向リンク品質計量が維持されるレベルを設定する。信号品質は、ＡＰにおいて受信された逆方向リンク信号のビット当りのエネルギ対雑音プラス妨害比Ｅｂ／ｌｏとして測定される。設定レベルは、Ｅｂ／ｌｏ設定点と呼ばれる。開パワー制御ループは、パケットエラーレート（ＰＥＲ）によって測定された所望のレベルの性能が維持されるように設定点を調節する。第２の（閉）パワー制御ループは、逆方向リンク信号品質が設定レベルで維持されるようにＡＴの送信パワーを調節する。
【手続補正３】
【補正対象書類名】明細書
【補正対象項目名】００４７
【補正方法】変更
【補正の内容】
【００４７】
［修正された設定管理による再ポインティング］
無線通信システム、たとえば、図１による無線通信システムにおいて、順方向リンクと逆方向リンクとの間で不均衡が発生する可能性がある。不均衡は、第１のセクタの順方向リンク品質計量がＡＴにおいて測定された第２のセクタの順方向リンク品質計量より大きく、第１のセクタで測定されたそのＡＴの逆方向リンクの品質計量が第２のセクタで測定された品質計量より低いときに発生する。低レベルの不均衡、たとえば、１ｄＢより低い不均衡はほとんど常に通信システム内に存在していることが観察されている。このレベルの不均衡は、順方向リンクのリクエストされた／サービスされたレートおよび逆方向リンク上のＤＲＣ消去レートのいずれにもほとんど影響を与えないようである。ここで使用されているように、ＤＲＣ消去レートという用語は、ＡＰにおいて消去されるＤＲＣメッセージの割合を示す。結果的に、このような不均衡は、たとえば、動的通信システム環境（変化するチャンネル条件、ＡＴ可動性）においてＤＲＣを再ポインティングすることに関連した目減り（ｏｕｔａｇｅ）等のコストが、その結果発生する可能性のある順方向リンクセクタのスループットの小さいペナルティをはるかに超えるために許容される。
【手続補正４】
【補正対象書類名】明細書
【補正対象項目名】００５３
【補正方法】変更
【補正の内容】
【００５３】
別の実施形態において、ルート更新メッセージに応答したＡＴの活動セットの変更は、ＡＰが判断する。したがって、あるセクタに対する順方向品質計量が削除しきい値より低いことがＡＴにより決定されたとき、ＡＴは、そのセクタをそのＡＴの活動セットから除去することを求めるリクエストをルート更新メッセージによってアクセスネットワークに送る。スループットを保存するために、アクセスネットワークの設定管理方法は、ＡＰ102におけるそのセクタの順方向リンクに関連した逆方向リンクが十分な品質計量を有していることを決定し、そのリクエストを拒否することができる。しきい値を低下させることによって、ＡＰ102は、そのＡＰを活動セットから除去することを求めるＡＴのリクエストを暗黙のうちに拒否する。ＡＰの設定管理方法はＡＴリクエストの情報を保存する。したがって、関連した逆方向リンクのＳＩＮＲが低下した場合、そのＡＰの設定管理方法は後の時点で特定のパイロット信号を活動セットから削除することが可能であり、これは、ＡＴにおいて活動セットへの別の潜在的な変更を検出したときに送られるそのＡＴからの別のルート更新メッセージの前でさえ行われることができる。